【手続補正書】
【提出日】平成18年4月4日(2006.4.4)
【手続補正１】
【補正対象書類名】特許請求の範囲
【補正対象項目名】全文
【補正方法】変更
【補正の内容】
【特許請求の範囲】
【請求項１】
ハンドオフの開始に先立って、使用中の無線ネットワークを介して移動体と使用中のパケットデータサービスノードとの間の主リンク並びに副リンクを確立することであって、主リンクと副リンクが使用中のパケットデータサービスノードおよび使用中の無線ネットワーク間の別々の接続に対応しており、
使用中の無線ネットワークから移動先無線ネットワークへのハンドオフを開始することと、
メッセージを、主リンクを特定して移動先パケットデータサービスノードに送ることとを含む、
通信システムにおけるハンドオフのための方法。
【請求項２】
移動体と移動先パケットデータサービスノードとの間の主リンクと副リンクを確立することをさらに含む請求項１に記載の方法。
【請求項３】
移動先パケットデータサービスノードから移動体へポイントツーポイントプロトコル（ＰＰＰ）構成要求を送ることをさらに含む請求項２に記載の方法。
【請求項４】
主リンクは第１のサービスインスタンスに関連づけられるており、かつ副リンクは第２のサービスインスタンスに関連づけられている請求項１に記載の方法。
【請求項５】
第２のサービスインスタンスはボイスオーバーインターネットプロトコルサービスである請求項４に記載の方法。
【請求項６】
使用中のパケットデータサービスノードおよび移動先パケットデータサービスノードは互換性のあるプロトコルを組み込んでいる請求項１に記載の方法。
【請求項７】
互換性のあるプロトコルは同一のプロトコルである請求項６に記載の方法。
【請求項８】
開始することは移動体から使用中の無線ネットワークへパイロットレポートを送ることをさらに含む請求項１に記載の方法。
【請求項９】
ハンドオフメッセージをサービス無線ネットワークから移動先無線ネットワークに送ることをさらに含む請求項８に記載の方法。
【請求項１０】
パイロットレポートはパイロット信号強度を特定する請求項９に記載の方法。
【請求項１１】
メッセージは登録要求に対する回答である請求項１に記載の方法。
【請求項１２】
使用中の無線ネットワークから移動先無線ネットワークへのハンドオフを開始することであって、ハンドオフの開始に先立って、第1のリンクと第２のリンクが使用中の無線ネットワークを介して移動体と使用中のパケットデータサービスノードとの間に確立され、第1のリンクと第２のリンクは使用中のパケットデータサービスノードおよび使用中の無線ネットワーク間の別々の接続に対応しており、
移動先無線ネットワークから登録要求を受信することと、
移動先無線ネットワークにより第１のリンク上の移動体へリンク開始メッセージを送ることであって、第１のリンクは第１のサービスインスタンスに関連づけられており、
移動先無線ネットワークにより第２のリンク上の移動体へリンク開始メッセージを送ることであって、第２のリンクは第２のサービスインスタンスに関連づけられている、
通信システムにおけるハンドオフのための方法。
【請求項１３】
第１のリンクはポイントツーポイントプロトコル（ＰＰＰ）接続である請求項１２に記載の方法。
【請求項１４】
第２のリンクはボイスオーバーインターネットプロトコルのための補助リンクである請求項１３に記載の方法。
【請求項１５】
使用中のパケットデータサービスノードから登録を要求することをさらに含む請求項１２に記載の方法。
【請求項１６】
ハンドオフの開始に先立って、使用中の無線ネットワークを介して移動体と使用中のパケットデータサービスノードとの間の主リンク並びに副リンクを確立することであって、主リンクと副リンクが使用中のパケットデータサービスノードおよび使用中の無線ネットワーク間の別々の接続に対応しており、
使用中の無線ネットワークから移動先無線ネットワークへのハンドオフを開始することであって、使用中の無線ネットワークは複数のサービスインスタンスをサポートするように適合され、移動先無線ネットワークは１つのサービスインスタンスをサポートするように適合されており、
使用中の無線ネットワークへの副リンクを終了することと、
使用中の無線ネットワークの主リンク情報を移動先無線ネットワークへ送ることと、
移動先無線ネットワークへのハンドオフを実行することとを含む、
通信システムにおけるハンドオフのための方法。
【請求項１７】
ハンドオフの開始に先立って、使用中の無線ネットワークを介して移動体と使用中のパケットデータサービスノードとの間の主リンク並びに副リンクを確立することであって、主リンクと副リンクが使用中のパケットデータサービスノードおよび使用中の無線ネットワーク間の別々の接続に対応しており、
使用中の無線ネットワークから移動先無線ネットワークへのハンドオフを開始することであって、使用中の無線ネットワークは、複数のサービスインスタンスをサポートするように適合された使用中のパケットデータサービスノードと結合され、移動先無線ネットワークは、１つのサービスインスタンスをサポートするように適合された移動先パケットデータサービスノードと結合されており、
使用中の無線ネットワークの主リンク情報を移動先無線ネットワークへ送ることと、
移動先無線ネットワークへのハンドオフを実行することとを含む、
通信システムにおけるハンドオフのための方法。
【請求項１８】
ハンドオフの開始に先立って、使用中の無線ネットワークを介して移動体と使用中のパケットデータサービスノードとの間の主リンク並びに副リンクを確立する手段であって、主リンクと副リンクが使用中のパケットデータサービスノードおよび使用中の無線ネットワーク間の別々の接続に対応している手段と、
使用中の無線ネットワークから移動先無線ネットワークへのハンドオフを開始する手段と、
メッセージを、主リンクを特定して移動先パケットデータサービスノードに送る手段とを含む、
通信システムにおける装置。
【請求項１９】
使用中の無線ネットワークから移動先無線ネットワークへのハンドオフを開始する手段であって、ハンドオフの開始に先立って、第1のリンクと第２のリンクが使用中の無線ネットワークを介して移動体と使用中のパケットデータサービスノードとの間に確立され、第1のリンクと第２のリンクは使用中のパケットデータサービスノードおよび使用中の無線ネットワーク間の別々の接続に対応している手段と、
移動先無線ネットワークから登録要求を受け取る手段と、
移動先無線ネットワークを介して第１のリンク上の移動体にリンク開始メッセージを送る手段であって、第１のリンクは第１のサービスインスタンスに関連づけられている手段と、
移動先無線ネットワークを介して第２のリンク上の移動体にリンク開始メッセージを送る手段であって、第２のリンクは第２のサービスインスタンスに関連づけられている手段とを含む、
通信システムにおける装置。
【請求項２０】
ハンドオフの開始に先立って、使用中の無線ネットワークを介して移動体と使用中のパケットデータサービスノードとの間の主リンク並びに副リンクを確立する手段であって、主リンクと副リンクが使用中のパケットデータサービスノードおよび使用中の無線ネットワーク間の別々の接続に対応している手段と、
使用中の無線ネットワークから移動先無線ネットワークへのハンドオフを開始する手段であって、使用中の無線ネットワークは複数のサービスインスタンスをサポートするように適合され、移動先無線ネットワークは１つのサービスインスタンスをサポートするように適合されている手段と、
使用中の無線ネットワークへの副リンクを終了する手段と、
使用中の無線ネットワークの主リンク情報を移動先無線ネットワークに送る手段と、
移動先無線ネットワークへのハンドオフを実行する手段とを含む、
通信システムにおける装置。
【請求項２１】
ハンドオフの開始に先立って、使用中の無線ネットワークを介して移動体との主リンクと副リンクを確立し、主リンクと副リンクが使用中のパケットデータサービスノードおよび使用中の無線ネットワーク間の別々の接続に対応しており、
移動先無線ネットワークへのハンドオフを開始し、
主リンクを特定してメッセージを移動先パケットデータサービスノードに送るように適合された、
通信システムにおけるパケットデータサービスノード。
【請求項２２】
第１の無線ネットワークを介して無線装置と第１のサーバとの間の第１のリンクを確立し、
第１の無線ネットワークを介して無線装置と第１のサーバとの間の第２のリンクを確立し、第１のリンクと第２のリンクは１のサーバと第１の無線ネットワークとの間の別々の接続に対応しており、
第１の無線ネットワークから第２の無線ネットワークへハンドオフを開始することを含む、通信システムにおける方法。
【請求項２３】
無線装置と第２のサーバとの間に第１のリンクおよび第２のリンクを確立することをさらに含む請求項２２に記載の方法。
【請求項２４】
第２のサーバから無線装置へポイントツーポイントプロトコル（ＰＰＰ）構成要求を送ることをさらに含む請求項２３に記載の方法。
【請求項２５】
第１のリンクは第１のサービスインスタンスに関連づけられるており、かつ第２のリンクは第２のサービスインスタンスに関連づけられている請求項２２に記載の方法。
【請求項２６】
第２のサービスインスタンスはボイスオーバーインターネットプロトコルサービスである請求項２５に記載の方法。
【請求項２７】
第１のリンクを特定して第２のサーバへメッセージを送ることをさらに含む請求項２２に記載の方法。
【請求項２８】
第１のサーバと第２のサーバは同じプロトコルを組み込んでいる請求項２７に記載の方法。
【請求項２９】
第１の無線ネットワークから第２の無線ネットワークへハンドオフを開始するステップが、
無線装置から第１の無線ネットワークへパイロットレポートを送ることをさらに含む請求項２２に記載の方法。
【請求項３０】
サービス無線ネットワークから第２の無線ネットワークへハンドオフメッセージを送ることをさらに含む請求項２９に記載の方法。
【請求項３１】
パイロットレポートがパイロット信号強度を特定する請求項３０に記載の方法。
【請求項３２】
メッセージは登録要求に対する回答である請求項２２に記載の方法。
【請求項３３】
第１の無線ネットワークを介して無線装置と第１のサーバとの間に第1のリンクを確立し、
第１の無線ネットワークを介して無線装置と第１のサーバとの間に第２のリンクを確立し、第1のリンクは第２のリンクから分離しており、
第１の無線ネットワークから第２の無線ネットワークへハンドオフを開始し、
第２の無線ネットワークから登録要求を受信し、
第２の無線ネットワークにより第１のリンク上の無線装置へリンク開始メッセージを送り、第１のリンクは第１のサービスインスタンスに関連づけられており、
第２の無線ネットワークにより第２のリンク上の無線装置へリンク開始メッセージを送り、第２のリンクは第２のサービスインスタンスに関連づけられていることを含む、
通信システムにおける方法。
【請求項３４】
第１のリンクはポイントツーポイントプロトコル（ＰＰＰ）接続である請求項３３に記載の方法。
【請求項３５】
第２のリンクはボイスオーバーインターネットプロトコルのための補助リンクである請求項３４に記載の方法。
【請求項３６】
第１のサーバからの登録を要求することをさらに含む請求項３３に記載の方法。
【請求項３７】
第１の無線ネットワークを介して無線装置と第１のサーバとの間に第1のリンクを確立し、
第１の無線ネットワークを介して無線装置と第１のサーバとの間に第２のリンクを確立し、第1のリンクおよび第２のリンクは第１のサーバおよび第１の無線ネットワーク間の別々の接続に対応しており、
第１の無線ネットワークから第２の無線ネットワークへハンドオフを開始し、第１の無線ネットワークは複数のサービスインスタンスをサポートするように適合され、第２の無線ネットワークは１つのサービスインスタンスをサポートするように適合され、
第１の無線ネットワークへの第２のリンクを終了し、
第１の無線ネットワークの第１のリンク情報を第２の無線ネットワークに送り、
第２の無線ネットワークにハンドオフを行うことを含む方法。
【請求項３８】
第１の無線ネットワークを介して無線装置と第１のサーバとの間に第1のリンクを確立し、
第１の無線ネットワークを介して無線装置と第１のサーバとの間に第２のリンクを確立し、第1のリンクおよび第２のリンクは第１のサーバおよび第１の無線ネットワーク間の別々の接続に対応しており、
第１の無線ネットワークから第２の無線ネットワークへハンドオフを開始し、第１の無線ネットワークは複数のサービスインスタンスをサポートするように適合された第１のサーバに結合され、第２の無線ネットワークは１つのサービスインスタンスをサポートするように適合された第２のサーバに結合され、
第１の無線ネットワークの第１のリンク情報を第２の無線ネットワークに送り、
第２の無線ネットワークにハンドオフを行うことを含む方法。
【請求項３９】
第1の無線ネットワークを介して無線装置と第1のサーバとの間の第1のリンクを確立し、かつ第1の無線ネットワークを介して無線装置と第1のサーバとの間の第２のリンクを確立する手段であって、第1のリンクと第２のリンクは第1のサーバおよび第1の無線ネットワーク間の別々の接続に対応している手段と、
第１の無線ネットワークから第２の無線ネットワークへハンドオフを開始する手段と、
第１のリンクを特定して第２のサーバへメッセージを送る手段とを含む、
通信システムにおける装置。
【請求項４０】
第1の無線ネットワークを介して無線装置と第1のサーバとの間の第1のリンクを確立し、かつ第1の無線ネットワークを介して無線装置と第1のサーバとの間の第２のリンクを確立する手段であって、第1のリンクと第２のリンクは第1のサーバおよび第1の無線ネットワーク間の別々の接続に対応している手段と、
第１の無線ネットワークから第２の無線ネットワークへハンドオフを開始する手段と、
第２の無線ネットワークからの登録要求を受信する手段と、
第２の無線ネットワークを介して第１のリンク上の無線装置にリンク開始メッセージを送り、第１のリンクは第１のサービスインスタンスと関連している手段と、
第２の無線ネットワークを介して第２のリンク上の無線装置にリンク開始メッセージを送り、第２のリンクは第２のサービスインスタンスと関連している手段とを含む、
通信システムにおける装置。
【請求項４１】
第1の無線ネットワークを介して無線装置と第1のサーバとの間の第1のリンクを確立し、かつ第1の無線ネットワークを介して無線装置と第1のサーバとの間の第２のリンクを確立する手段であって、第1のリンクと第２のリンクは第1のサーバおよび第1の無線ネットワーク間の別々の接続に対応している手段と、
第１の無線ネットワークから第２の無線ネットワークへハンドオフを開始する手段とを含む、
通信システムにおける装置。
【請求項４２】
第1の無線ネットワークを介して無線装置と第1のサーバとの間の第1のリンクを確立し、
第1の無線ネットワークを介して無線装置と第1のサーバとの間の第２のリンクを確立し、第1のリンクと第２のリンクは第1のサーバおよび第1の無線ネットワーク間の別々の接続に対応しており、
第１の無線ネットワークから第２の無線ネットワークへハンドオフを開始するように構成されたサーバ。